(57)【要約】【課題】装着が容易で使い易く硬直又は拘縮状態の手を適切に保護可能な手の保護具を提供する。【解決手段】手の保護具１は、細長い帯状体１０と、手の各指間に挿入する、前記帯状体１０の一端１２及び該一端１２から間隔を隔て前記帯状体１０に固定された４つの挿入体３と、前記帯状体１０を固定可能な前記帯状体１０に取り付けられたスナップボタン２０と、を備え、前記挿入体３を、握り締めた手の甲側から指と指との間に挿入し、指と指とを押し広げると共に、指先と掌との間に挿入体３の少なくとも一部を入り込ませ、挿入体３が挿入された状態で、帯状体１０を手の甲を通り手首を一周させ、帯状体１０をスナップボタン２０で手首に固定する。装着のとき、指を大きく広げる必要がないので、楽に装着できる。【選択図】図１
2010233690.tif 000002
【特許請求の範囲】
【請求項１】
細長い帯状体と、
手の各指間に挿入する、前記帯状体の一端及び該一端から間隔を隔て前記帯状体に固定された４つの挿入体と、
前記帯状体を固定可能な前記帯状体に取り付けられた留め具と、を備え、
前記挿入体は、手の甲側から指と指との間に挿入されたとき、指と指との間を押し広げると共に、指先と掌との間に挿入体の少なくとも一部が入り込み指先が掌に接触しない大きさを有し、
前記帯状体は、前記挿入体が手の甲側から指と指との間に挿入された状態で、手の甲を通り手首を一周できる長さを有し、
前記留め具は、手首を一周した前記帯状体を固定可能なことを特徴とする手の保護具。
【請求項２】
前記挿入体は、両端部のいずれか１の挿入体が他の挿入体に比較して大きいことを特徴とする請求項１に記載の手の保護具。
【請求項３】
前記挿入体は、正面視及び平面視において矩形形状を有し、側面視において円弧状又は上部が円弧状であることを特徴とする請求項１又は２に記載の手の保護具。
【発明の詳細な説明】
【技術分野】
【０００１】
本発明は、硬直又は拘縮状態の手を保護する手の保護具に関する。
【背景技術】
【０００２】
病気又は事故などにより、手の指が硬直又は拘縮状態となることはよく知られているところである。硬直又は拘縮状態となると指が硬く握り閉められた状態となり、本人の意思で指を動かしたり、指を開くことができない。このため手指、掌にただれが生じたり、爪で掌を損傷するなどの問題が生じている。
【０００３】
このような問題を解決するための保護具、介護具又は手指拘縮予防具が、従来から多く提案されている。例えば、内部に芯材が装着された握り部を中央に配置し、その両端にバンド状部を接続し、一方のバンド状部に３個の突出部を設けた保護具がある（例えば特許文献１参照）。この保護具では、握り部を所定の大きさとすることで、着脱性及びフィット性を満足させている。また、バンド状部に突出部を設けることで、握り部の突出部をなくし、握り部の掌への着脱性を高めている。
【０００４】
また硬直している人の掌中に把持させリハビリさせるための介護具として、軟質材料からなり掌で把持する本体を有し、この本体に親指以外の指を挿入固定するための環状固定部及び親指が当接する親指当接部を設け、さらに親指が環状固定部側に移動することを阻止する突出部が設けられた介護具がある（例えば特許文献２参照）。この介護具では、親指が環状固定部側に移動することを阻止し、掌を十分に展開された状態で保持しリハビリ効果を高めている。
【０００５】
また手袋形状を有する介護用品であって、指を挿入するための介装部を備え、介装部の下方には掌を当接させるための当接部が設けられ、さらに当該介護用品が手から外れることを防止するための半円弧状の部材と手首固定バンドとを備える介護用品がある（例えば特許文献３参照）。この介護用品を使用することで、指の間及び掌の汗を吸収し、さらに当該介護用品が手から外れにくいのでリハビリ効果を発揮できるとする。
【先行技術文献】
【特許文献】
【０００６】
【特許文献１】特開２００４−２０１９７６号公報
【特許文献２】特開２００４−３５８１８６号公報
【特許文献３】実用新案登録第３１３２９４４号公報
【発明の概要】
【発明が解決しようとする課題】
【０００７】
上記特許文献１から３に記載の各保護具又は介護具の装着状態を見てみると、特許文献１の保護具では握り部を、特許文献２の介護具では本体を掌に握らせ、また特許文献３の介護用品では、当接部を掌に当接させる。このことからいずれの保護具又は介護具においても、これらを装着させるために、指を大きく開かせる必要がある。しかしながら、硬直又は拘縮状態となり指が固く握り閉められた状態から指を大きく開かせることは容易ではなく、装着者に大きな苦痛が伴う。硬直又は拘縮状態の手を保護するための保護具、又は硬直又は拘縮状態の手をリハビリさせるための介護具は、この他にも多くのものが提案されているが、今までの保護具、介護具は必ずしも使い易い又は利用し易いとは言い難い。
【０００８】
本発明の目的は、装着が容易で使い易く硬直又は拘縮状態の手を適切に保護可能な手の保護具を提供することである。
【課題を解決するための手段】
【０００９】
請求項１に記載の本発明は、細長い帯状体と、手の各指間に挿入する、前記帯状体の一端及び該一端から間隔を隔て前記帯状体に固定された４つの挿入体と、前記帯状体を固定可能な前記帯状体に取り付けられた留め具と、を備え、前記挿入体は、手の甲側から指と指との間に挿入されたとき、指と指との間を押し広げると共に、指先と掌との間に挿入体の少なくとも一部が入り込み指先が掌に接触しない大きさを有し、前記帯状体は、前記挿入体が手の甲側から指と指との間に挿入された状態で、手の甲を通り手首を一周できる長さを有し、前記留め具は、手首を一周した前記帯状体を固定可能なことを特徴とする手の保護具である。
【００１０】
請求項２に記載の本発明は、請求項１に記載の手の保護具において、前記挿入体は、両端部のいずれか１の挿入体が他の挿入体に比較して大きいことを特徴とする。
【００１１】
請求項３に記載の本発明は、請求項１又は２に記載の手の保護具において、前記挿入体は、正面視及び平面視において矩形形状を有し、側面視において円弧状又は上部が円弧状であることを特徴とする。
【発明の効果】
【００１２】
本発明に係る手の保護具は、手の各指間に挿入する所定の大きさを有する４つの挿入体を備えるので、これを各指の間に挿入することで指同士の接触が防止され、蒸れ難く、ただれ又悪臭を防止することができる。また指先が掌に接触することも防止できるので、掌の損傷を防ぐことができる。また、本発明に係る手の保護具は、挿入体を手の各指の間に挿入し装着させるので、装着に際し、従来の保護具のように手の指を大きく広げる必要がなく、殆ど苦痛なく簡単に装着することができる。また、本発明に係る手の保護具は、挿入体を指の間に挿入した状態で帯状体を手首に巻き付け固定することができるので、装着した手の保護具が外れにくく使い易い。
【００１３】
また本発明によれば、前記挿入体は、両端部のいずれか１の挿入体が他の挿入体に比較して大きいので、大きい挿入体を指と指との間隔が広い親指と人差し指との間に挿入することで、指、掌を適切に保護することができる。
【００１４】
また本発明によれば、前記挿入体は、正面視及び平面視において矩形形状を有し、側面視において円弧状又は上部が円弧状であるので、形状が簡単で製造しやすく、かつ挿入体を指の間に挿入したとき手に無理な力が加わらず使い易い。
【図面の簡単な説明】
【００１５】
【図１】本発明の第１実施形態としての手の保護具１を示す図であって、（ａ）は正面図、（ｂ）は平面図、（ｃ）は（ｂ）の切断面線Ｃ−Ｃから見た断面図である。
【図２】本発明の手の保護具２を手に装着している途中の状態を示す図である。
【図３】本発明の手の保護具２を手に装着している途中の状態を示す図である。
【図４】本発明の手の保護具２を手に装着した状態を示す図である。
【図５】本発明の手の保護具２を手に装着した状態を示す図である。
【発明を実施するための形態】
【００１６】
図１は、本発明の第１実施形態としての手の保護具１を示す。図１中（ａ）は、正面図、（ｂ）は平面図、（ｃ）は（ｂ）の切断面線Ｃ−Ｃから見た断面図である。図２及び図３は、本発明の手の保護具２を手１００に装着している途中の状態を掌１０３側から見た図及び手の甲１０５側から見た図である。図４及び図５は、装着の完了した本発明の手の保護具２を掌１０３側から見た図及び手の甲１０５側から見た図である。図２から図５は、手の保護具２の装着例を分かりやすく示したため、指１０１の曲がり具合等が一致していない部分もある。図２から図５に示す手の保護具２は、挿入体３の形状が図１に示す手の保護具１と多少異なる点を除き、構成及び他の形状は図１に示す手の保護具１と同じであり、同一の構成には同一の符号を付して説明を省略する。
【００１７】
手の保護具１、２は、硬直又拘縮状態の手１００に装着し、手の指１０１（１０１ａ、１０１ｂ、１０１ｃ、１０１ｄ、１０１ｅ）及び掌１０３を保護するための保護具であって、手の各指１０１の間に挿入する挿入体３、挿入体３と連結する帯状体１０及び帯状体１０を固定する留め具であるスナップボタン２０を有する。以下、手の保護具１を用いて各構成を説明する。
【００１８】
挿入体３（３ａ、３ｂ、３ｃ、３ｄ）は、手の各指１０１の間に挿入する部材であり、帯状体の一端１２及び帯状体の一端１２から所定の間隔で、帯状体１０に４つ固定されている。挿入体３は、手の各指１０１の間に挿入する部材であるから、事故などで指を一本失ったような場合は、個数は３個であってもよいことは言うまでもない。
【００１９】
各挿入体３ａ、３ｂ、３ｃ、３ｄの形状は、同一であり、正面視及び平面視において矩形形状を有し、側面視において、円弧状の形状の形状を有する。ここで矩形形状とは完全な矩形形状のみならず、角に丸みを有するものの全体から見て矩形形状と見なされるものも含まれる。挿入体３の形状は、直方体形状などであってもよく、図１に示す形状に限定されるものではないが、図１に示す形状とすることで、形状が簡単で製造しやすく、かつ挿入体３を指１０１の間に挿入したとき手１００に無理な力が加わらず使い易い。さらに図１に示す形状のように側面視において左右対称の形状とすることで、右手、左手区別なく、両手に使用することができるので便利である。
【００２０】
挿入体３の大きさは、挿入体３を硬直又拘縮状態の手の指１０１と指１０１との間に挿入したとき、指１０１と指１０１との間を押し広げると共に、装着したとき指先１０２と掌１０３との間に挿入体３の少なくとも一部が入り込み、指先１０２が掌１０３に接触しない大きさであることが必要である。各挿入体３の大きさは、挿入体３ａ、３ｂ、３ｃが同じ大きさであり、親指１０１ｅと人差し指１０１ｄとの間に挿入して使用する挿入体３ｄは、挿入体３ａ、３ｂ、３ｃに比べて一回り大きい。親指１０１ｅと人差し指１０１ｄとの間隔が他の指１０１ａ、１０１ｂ、１０１ｃの間隔に比べ広いので、挿入体３ｄを大きくしている。
【００２１】
挿入体３ａ、３ｂ、３ｃの幅Ｗは、指股から指の第二関節以上の長さが好ましい、このようにすることで装着時、無理なく手が開く。装着する者の手の大きさにより、挿入体３ａ、３ｂ、３ｃの幅Ｗを適宜決めればよく、成人用の手の保護具１の場合、幅Ｗを例示すれば３０〜５０ｍｍである。挿入体３ａ、３ｂ、３ｃの高さＨは、低過ぎると装着時、指先１０２と掌１０３との間に挿入体３が入り込まず、指先１０２と掌１０３とが接触し、一方、必要以上に大きくすると、手１００に無理な力が加わる。装着する者の手の大きさにより、挿入体３ａ、３ｂ、３ｃの高さＨを適宜決めればよく、成人用の手の保護具１の場合、高さＨを例示すれば、３０〜５０ｍｍである。挿入体３ａ、３ｂ、３ｃの厚さｔは、薄すぎると指１０１と指１０１とが殆どくっついた状態のままであり、厚すぎると、指１０１に無理な力がかかり好ましくない。標準的な成人の場合、装着時の指１０１と指１０１との間隔Ｌが、１０〜１５ｍｍが好ましい。装着する者の手の大きさにより、挿入体３ａ、３ｂ、３ｃの厚さｔを適宜決めればよく、成人用の手の保護具１の場合、挿入体３ａ、３ｂ、３ｃの弾力性又は柔軟性を考慮すれば、１２〜２０ｍｍが好ましい。挿入体３ｄの大きさは、挿入体３ａ、３ｂ、３ｃに比較して全体的に５ｍｍ程度大きくすればよい。
【００２２】
各挿入体３ａ、３ｂ、３ｃ、３ｄは、帯状体の一端１２及び帯状体の一端１２から所定の間隔で帯状体１０に４つ固定されている。本実施形態に示す手の保護具１では、親指１０１ｅと人差し指１０１ｄとの間に挿入する挿入体３ｄが一番中央よりに配置されているが、親指１０１ｅと人差し指１０１ｄとの間に挿入する挿入体３ｄを帯状体の一端１２に配置してもよい。各挿入体３ａ、３ｂ、３ｃ、３ｄの間隔ΔＬは、指１０１と指１０１との間隔に合わせればよい。成人用の手の保護具１の場合、間隔を例示すれば、挿入体３ａと３ｂ及び３ｂと３ｃとの間隔ΔＬは２０〜２５ｍｍ、挿入体３ｃと３ｄとの間隔は３０〜３５ｍｍである。
【００２３】
挿入体３は、弾力性を持たせるために低反発のスポンジを吸水性のよいタオル地で覆い形成されている。挿入体３に弾力性又は柔軟性を持たせることで、手１００になじみ易く使い易いものとすることができ、さらに無理なく指１０１と指１０１との間を押し広げることができる。低反発のスポンジに代え、極小ビーズなどを使用することもできる。またタオル地のほか、綿ジャージなども好適に使用することができる。表面を吸水性のよい布で覆うことで、汗が吸い取られ、指１０１又は掌１０３の蒸れ、ただれ又悪臭などを防止することができる。タオル地は、肌触りがよく、洗濯した場合の耐久性に優れるので好ましい布地と言える。長期の装着を考慮すれば、抗菌性を備える素材で挿入体３を形成することがより好ましい。
【００２４】
帯状体１０は、挿入体３を所定の間隔で固定すると共に、指１０１に挿入した挿入体３を手１００に固定するための部材である。帯状体１０の幅は、挿入体３の幅Ｗと同一であり、長さは、挿入体３を指１０１の間に挿入した状態で、手の甲１０５を通り手首１０７を一周できる長さを有する。長さを例示すれば、成人用の手の保護具１の場合、５００ｍｍ程度である。帯状体１０の厚さは、挿入体３をしっかりと固定でき、手１００に巻き付け固定できる強度があれば薄くてもよい。帯状体１０の厚さを例示すれば、数ｍｍである。
【００２５】
帯状体１０も、挿入体３と同じ吸水性のよいタオル地からなる。帯状体１０は、帯状体１０を手１００、手首１０７に巻き付け使用するため、吸水性を有する素材が好ましく、タオル地のほか、綿ジャージを好適に使用することができる。なお帯状体１０は手１００、手首１０７に巻き付け使用されるため、柔軟性を有することはもちろん、肌触りのよい素材からなることが好ましく、長期の装着を考慮すれば、抗菌性を備えることがより好ましい。
【００２６】
留め具は、手首１０７に巻きつけた帯状体１０が外れないように固定するための部材であり、樹脂製のスナップボタン２０からなる。スナップボタン２０は公知のスナップであり、凸型（下型）２１が帯状体１０の表面端部１４に取り付けられ、凹型（上型）２２が帯状体１０の裏面に端部１４から所定の距離を隔て３つ取付けられている。ここで所定の距離とは、手首１０７に巻きつけた帯状体１０を固定できる距離である。凹型（上型）２２が３つ設けられているのは、手１００、手首１０７の大きさに合わせ、選択可能としたものであり、当然１つでもよくさらには４つ以上であってもよい。
【００２７】
留め具は、手首１０７に巻きつけた帯状体１０が外れないように固定するためのものであるから、必ずしもスナップボタン２０に限定されるものではない。手首１０７に巻きつけた帯状体１０を簡単かつ確実に固定できればよく、さらに連結部が平坦であればより好ましい。このような留め具としては、スナップボタン２０のほかホック、ボタンなどが例示される。このほか衣服の留め具として公知のマジックテープ（登録商標）などの面ファスナーを使用することも可能であるが耐久性の点、さらに面ファスナーの場合、面ファスナーがきちっと連結されていないと面ファスナーのループ又はフックが手１００に接触し装着者に苦痛を与える場合もある点を考慮すれば、スナップボタン２０、ホックが好ましい。
【００２８】
次に手の保護具２を用いて使用例を説明する。手の保護具２は、挿入体３の形状が図１に示す手の保護具１と多少異なる。挿入体３は、正面視において上部が丸味を有し、平面視及び側面視において矩形形状を有する、略直方体形状である。挿入体３の形状を除けば、構成及び他の形状は図１に示す手の保護具１と同じである。手の保護具２は、挿入体３を手の甲１０５側から掌１０３に向かって、指１０１と指１０１との間であって指股から指の第二関節の間に挿入する。このとき小指１０１ａ側から親指１０１ｄ側に向かって一つづつ順に挿入すると装着させやすい。このとき各挿入体３を掌１０３側に十分に押し込む。これにより、各挿入体３の先端部分５が指先１０２と掌１０３との間に入り込み、指先１０２と掌１０３とが接触することを防止することができる。
【００２９】
硬直又は拘縮状態で指１０１が硬く握り閉められ、指１０１と指１０１とがぴったりとくっついている場合には、挿入体３を挿入するとき、指１０１を僅かに広げる必要がある。試作品を作製し実際に装着させたところ、小指１０１ａ側から指を開く方が、指１０１が開きやすいことが分かった。指１０１と指１０１との間に隙間があるような場合は、指１０１を開かせることなく挿入体３を指１０１と指１０１との間に挿入すればよい。挿入体３は、全てを同時に挿入する必要はなく、一つづつ順番に行えばよいので、装着に際して指１０１を大きく、また全部の指１０１を同時に広げる必要がないので、苦痛なく装着できる。
【００３０】
全ての挿入体３を指１０１の間に挿入した後、帯状体１０を手の甲１０５を通り手首１０７に巻き付け、スナップボタン２０を介して手首１０７に固定する。
【００３１】
これにより指１０１同士の接触が防止され、蒸れ難く、ただれ又悪臭を防止することができる。また指先１０２が掌１０３に接触することも防止できるので、掌１０３の損傷を防ぐことができる。さらに指１０１を押し広げるので、従来の介護具と同様に手１００、指１０１のリハビリ効果も期待できる。
【００３２】
上記実施形態を用いて説明したように、本発明に係る手の保護具１、２は、複数の挿入体３をそれぞれ指１０１の間に一つづつ挿入し装着するので、装着の際、従来の手の介護具、保護具のように指１０１を大きく広げる必要がなく、しかも指１０１を広げるときも指１０１を一本づつ広げればよいので、殆ど苦痛なく簡単に装着することができる。また、本発明に係る手の保護具１、２は、挿入体３を指１０１の間に挿入した状態で帯状体１０を手首１０７に巻き付け固定することができるので、装着した手の保護具１、２が外れにくく使い易い。また、手の保護具１、２を製造するに際し、柄や模様がありカラフルな布地を使用し、おしゃれで可愛いものとすれば、装着している人の気分を和ませ、介護や医療の現場を明るくすることができる。
【符号の説明】
【００３３】
１  手の保護具
２  手の保護具
３  挿入体
５  挿入体の先端部分
１０  帯状体
１２  帯状体の一端
１４  帯状体の表面端部
２０  スナップボタン
２１  凸型（下型）
２２  凹型（上型）
１００  手
１０１  指
１０２  指先
１０３  掌
１０５  手の甲
１０７  手首
【図１】
2010233690.tif 000003
【図２】
2010233690.tif 000004
【図３】
2010233690.tif 000005
【図４】
2010233690.tif 000006
【図５】
2010233690.tif 000007